(57)【要約】【課題】皮膚に対して種々の刺激を与えることができることで、筋膜リリースを効果的に行うことができ、また誰でも容易に使用できると共に、着衣の上からでも使用可能な筋膜リリース用治具の提供を課題とする。【解決手段】基台部１０と、基台部１０の表面の所定領域に設けられて皮膚３との直接的な接触部を形成する皮膚接触部２０とを備え、皮膚接触部２０は、表面に、複数の凹部２２と複数の凸部２３とを筋膜リリース用治具１の移動方向に交互に且つ直線状に配置してなる凹凸列２１を備えると共に、凹凸列２１を筋膜リリース用治具１の移動方向に対して直交する方向に複数列並列配置させてあり、且つ隣接する凹凸列２１の間に筋膜リリース用治具１の移動方向に伸びる溝部２４を設けており、更に皮膚接触部２０をシート状部材で構成すると共に、シート状部材を基台部１０に対して着脱自在に取り付けてある筋膜リリース用治具１である。【選択図】      図１
2020092808.tif 000002
【特許請求の範囲】
【請求項１】
皮膚に直接的又は間接的に接触させた状態で一方向に向けて移動させ、皮膚を一方向に動かすことで筋膜リリースを行う筋膜リリース用治具であって、基台部と、前記基台部の表面の所定領域に設けられて皮膚との直接的又は間接的な接触部を形成する皮膚接触部とを備え、前記皮膚接触部は、表面に、複数の凹部と複数の凸部とを筋膜リリース用治具の移動方向に交互に且つ一直線状に配置してなる凹凸列を備えると共に、前記凹凸列を筋膜リリース用治具の移動方向に対して直交する方向に複数列並列配置させて備え、且つ隣接する凹凸列の間に筋膜リリース用治具の移動方向に伸びる溝部を設けており、
更に皮膚接触部をシート状部材で構成すると共に、前記シート状部材を基台部に対して着脱自在に取り付けてあることを特徴とする筋膜リリース用治具。
【請求項２】
複数の凸部の各表面に凹状溝を設けてあると共に、前記凹状溝は筋膜リリース用治具の移動方向とは反対方向に向けて凸状に湾曲した湾曲溝部を備えるものであることを特徴とする請求項１に記載の筋膜リリース用治具。
【請求項３】
凹状溝は、半球形状と、渦巻き形状と、弓型形状との少なくとも何れか一つからなることを特徴とする請求項２に記載の筋膜リリース用治具。
【請求項４】
凹部は、筋膜リリース用治具の移動方向に対向配置される一対の傾斜面で構成されており、前記一対の傾斜面は、前記移動方向に対して直交する方向に配置されると共に、一対の傾斜面のうち、前記移動方向の後方側に配置される後方側傾斜面の傾斜角度が、筋膜リリース用治具の移動方向の接線に対して略９０度であることを特徴とする請求項１〜３の何れか１項に記載の筋膜リリース用治具。
【請求項５】
基台部及び皮膚接触部は、ウレタン等の樹脂で構成されると共に、前記基台部における皮膚接触部を設けてある面の裏側の面に、筋膜リリース用治具の移動方向に伸びる切欠きを設けてあることを特徴とする請求項１〜４の何れか１項に記載の筋膜リリース用治具。
【発明の詳細な説明】
【技術分野】
【０００１】
本発明は、皮膚に直接的又は間接的に接触させた状態で使用する筋膜リリース用治具に関する。
【背景技術】
【０００２】
過度のスポーツやその後のケア不足、不良姿勢、運動不足など、身体がさらされている外部環境などにより、筋膜の可動域制限や筋膜の癒着が起こると、血液、間質液、リンパ液といった体液が循環不良となり、内部環境が悪化し、結果として、酸素をはじめとする栄養素が細胞へ届き難くなる。これによって、老廃物や疲労物質が身体の特定部分に残り易い状態となり、結果として身体の特定部分に痛みを引き起こすこととなる。
このような問題に対して、いわゆる筋膜リリースを行うための治具が各種開発されている。
このような筋膜リリース用治具を示す従来技術として、例えば下記特許文献１がある。
【先行技術文献】
【特許文献】
【０００３】
【特許文献１】特許第６０４６８５０号公報
【発明の概要】
【発明が解決しようとする課題】
【０００４】
上記特許文献１の技術は、筋膜リリース用具に関する発明で、皮膚の傷みを最低限に抑え、身体の各部位に難なく施術でき、安価で、誰でも簡便に筋膜リリースを行うことができるメリットがある。
しかしながら上記特許文献１の技術においては、連続した一平面で皮膚をとらえる形状であることから、皮膚に対して単調な刺激しか与えることができず、効果的な筋膜リリースを行うことができないという問題があった。また皮膚に直接的に密着させて使用するものであることから、着衣の上から施術を行うことができず、施術者と被施術者との性別が異なる場合、施術が行い難いという問題があった。
【０００５】
そこで本発明は上記従来における問題点を解決し、皮膚に対して種々の刺激を与えることができることで、筋膜リリースを効果的に行うことができ、また誰でも容易に使用できると共に、着衣の上からでも使用可能な筋膜リリース用治具の提供を課題とする。
【課題を解決するための手段】
【０００６】
上記課題を達成するため、本発明の筋膜リリース用治具は、皮膚に直接的又は間接的に接触させた状態で一方向に向けて移動させ、皮膚を一方向に動かすことで筋膜リリースを行う筋膜リリース用治具であって、基台部と、前記基台部の表面の所定領域に設けられて皮膚との直接的又は間接的な接触部を形成する皮膚接触部とを備え、前記皮膚接触部は、表面に、複数の凹部と複数の凸部とを筋膜リリース用治具の移動方向に交互に且つ一直線状に配置してなる凹凸列を備えると共に、前記凹凸列を筋膜リリース用治具の移動方向に対して直交する方向に複数列並列配置させて備え、且つ隣接する凹凸列の間に筋膜リリース用治具の移動方向に伸びる溝部を設けており、
更に皮膚接触部をシート状部材で構成すると共に、前記シート状部材を基台部に対して着脱自在に取り付けてあることを第１の特徴としている。
また本発明の筋膜リリース用治具は、上記第１の特徴に加えて、複数の凸部の各表面に凹状溝を設けてあると共に、前記凹状溝は筋膜リリース用治具の移動方向とは反対方向に向けて凸状に湾曲した湾曲溝部を備えるものであることを第２の特徴としている。
また本発明の筋膜リリース用治具は、上記第２の特徴に加えて、凹状溝は、半球形状と、渦巻き形状と、弓型形状との少なくとも何れか一つからなることを第３の特徴としている。
また本発明の筋膜リリース用治具は、上記第１〜第３の何れか１つの特徴に加えて、凹部は、筋膜リリース用治具の移動方向に対向配置される一対の傾斜面で構成されており、前記一対の傾斜面は、前記移動方向に対して直交する方向に配置されると共に、一対の傾斜面のうち、前記移動方向の後方側に配置される後方側傾斜面の傾斜角度が、筋膜リリース用治具の移動方向の接線に対して略９０度であることを第４の特徴としている。
また本発明の筋膜リリース用治具は、上記第１〜第５の何れか１つの特徴に加えて、基台部及び皮膚接触部は、ウレタン等の樹脂で構成されると共に、前記基台部における皮膚接触部を設けてある面の裏側の面に、筋膜リリース用治具の移動方向に伸びる切欠きを設けてあることを第６の特徴としている。
【発明の効果】
【０００７】
上記第１の特徴による筋膜リリース用治具によれば、皮膚接触部に備える複数の凹部と複数の凸部を、それぞれ個別の領域に区分けすることができる。よって複数の凹部と複数の凸部を備える皮膚接触部の表面積を効果的に広げることができると共に、複数の凹部と複数の凸部を個別に皮膚に直接的又は間接的に接触させることができる。従って皮膚との接触箇所を複数個所とすることができると共に、皮膚に対する摩擦抵抗を向上させることができる。よって筋膜に対して種々の刺激を与えることができ、筋膜リリースを効率的に行うことができる。また皮膚に直接的又は間接的に接触させた状態で一方向に向けて移動させるだけで施術を行うことができるので、誰でも容易に使用可能で、着衣の上からでも使用可能な筋膜リリース用治具とすることができる。更に皮膚接触部をシート状部材で構成すると共に、シート状部材を基台部に対して着脱自在に取り付ける構成とすることで、製造効率が良く、省コスト化が可能な筋膜リリース用治具とすることができる。加えて、皮膚接触部のみの交換が可能な筋膜リリース用治具とすることができる。よって、凹部や凸部の形状、数などが異なる複数種類の皮膚接触部を準備すれば、筋膜リリースを行う部位や筋膜リリースの被施術者の好みなどに合わせて、皮膚接触部を適宜交換して使用することができる。従って個々人にあった筋膜リリースを、容易且つ効果的に行うことが可能な筋膜リリース用治具とすることができる。
【０００８】
また上記第２の特徴による筋膜リリース用治具によれば、上記第１の特徴による作用効果に加えて、皮膚接触部の表面積を一段と効果的に広げることができる。また使用状態において、凹部に加えて、凸部の凹状溝においても皮膚に引っ掛かる状態を生み出すことができる。よって複数の凹部と複数の凸部とでしっかりと皮膚をとらえて刺激を与えることができ、これによって一段と効果的に筋膜リリースを行うことができる。
【０００９】
また上記第３の特徴による筋膜リリース用治具によれば、上記第１又は第２の特徴のよる作用効果に加えて、使用状態において、凸部の凹状溝においても一段と効果的に皮膚に引っ掛かる状態を生み出すことができる。
【００１０】
また上記第４の特徴による筋膜リリース用治具によれば、上記第１〜第３の何れか１つの特徴による作用効果に加えて、使用状態において、凹部が皮膚に引っ掛かる状態を一段と効果的に生み出すことができる。よって一段と効果的に筋膜リリースを行うことができる。
【００１１】
また上記第５の特徴による筋膜リリース用治具によれば、上記第１〜第４の何れか１つの特徴による作用効果に加えて、ウレタン等の樹脂を用いることで、軽量でありながら適度な強度を備えると共に、使用感の良好な筋膜リリース用治具とすることができる。また切欠きを備えることで、基台部を手で握ることで、基台部を収縮させることができる。これに伴い、複数の凹部と複数の凸部の形状や配置位置を変形させることでき、一つの筋膜リリース用治具で、皮膚に対して異なる刺激を容易に与えることができる。従って一段と効果的に筋膜リリースを行うことができる。
【図面の簡単な説明】
【００１２】
【図１】本発明の第１の実施形態に係る筋膜リリース用治具を示す図で、（ａ）は全体斜視図、（ｂ）は使用状態における筋膜の状態を模式的に示す図である。
【図２】本発明の第１の実施形態に係る筋膜リリース用治具を示す全体図で、（ａ）は正面図、（ｂ）は筋膜リリース用治具を上方から見た状態を示す図である。
【図３】本発明の第１の実施形態に係る筋膜リリース用治具を示す図で、（ａ）は図２（ａ）のＣ−Ｃ線方向における断面図、（ｂ）は図２（ａ）の要部を示す図である。
【図４】本発明の第１の実施形態に係る筋膜リリース用治具を構成する皮膚接触部を示す図で、（ａ）は一つの凹凸列を示す図、（ｂ）は使用状態における皮膚接触部と皮膚とが接触した状態を模式的に示す図である。
【図５】本発明の第１の実施形態に係る筋膜リリース用治具の変形例１、２を示す図で、（ａ）は変形例１に係る筋膜リリース用治具の要部を上方から見た状態を示す図、（ｂ）は（ａ）に示す筋膜リリース用治具の短手方向における垂直断面図の要部を示す図、（ｃ）は変形例２に係る筋膜リリース用治具の要部を上方から見た状態を示す図、（ｄ）は（ｃ）に示す筋膜リリース用治具の短手方向における垂直断面図の要部を示す図である。
【図６】本発明の第１の実施形態に係る筋膜リリース用治具の変形例３、４を示す図で、（ａ）は変形例３に係る筋膜リリース用治具の要部を上方から見た状態を示す図、（ｂ）は（ａ）に示す筋膜リリース用治具の短手方向における垂直断面図の要部を示す図、（ｃ）は変形例４に係る筋膜リリース用治具の要部を上方から見た状態を示す図である。
【図７】本発明の第１の実施形態に係る筋膜リリース用治具の変形例５を示す図で、（ａ）は基台部を手で強く握る前の状態を示す側面図、（ｂ）は基台部を手で強く握った状態を示す側面図である。
【図８】本発明の第１の実施形態に係る筋膜リリース用治具の変形例６、７を示す図で、（ａ）は変形例６に係る筋膜リリース用治具を構成する皮膚接触部の一つの凹凸列を示す図、（ｂ）は変形例７に係る筋膜リリース用治具を構成する皮膚接触部の一つの凹凸列を示す図、（ｃ）は変形例７に係る筋膜リリース用治具を構成する皮膚接触部と皮膚とが接触した状態を模式的に示す図である。
【図９】本発明の第２、第３の実施形態に係る筋膜リリース用治具を示す図で、（ａ）は本発明の第２の実施形態に係る筋膜リリース用治具を示す全体斜視図、（ｂ）は（ａ）に示す筋膜リリース用治具を指に装着した状態を示す図、（ｃ）は本発明の第３の実施形態に係る筋膜リリース用治具を示す全体斜視図である。
【発明を実施するための形態】
【００１３】
以下、各図面を参照して、本発明の実施形態に係る筋膜リリース用治具を説明し、本発明の理解に供する。しかし以下の説明は、特許請求の範囲に記載の本発明を限定するものではない。
【００１４】
先ず図１〜図４を参照して、本発明の第１の実施形態に係る筋膜リリース用治具を説明する。
【００１５】
図１に示すように、本発明の筋膜リリース用治具１は、皮膚３に直接的又は間接的に接触させた状態で皮膚３上の一方向（図１（ｂ）の白抜き矢印で示す方向）に向けて移動させ、皮膚３を一方向に動かすことで、皮膚内で委縮や癒着した状態にある筋膜のリリースを行うための治具である。なお、ここで「筋膜リリース」とは、筋膜の委縮、癒着を引き剥がすことで、筋膜を正常な状態に戻すことを意味するものである。また「皮膚３に間接的に接触」とは、衣服を着ている場合などに、衣服の上から筋膜リリース用治具１を身体の所定部位に当て、衣服を介して筋膜リリース用治具１を皮膚３に接触させる場合などを意味するものである。
更に本実施形態においては、被施術者に対して、被施術者とは別人である施術者が筋膜リリースを行うものとして、以下の説明を行うものとする。勿論、このような場合に限るものではなく、被施術者が自ら筋膜リリース用治具を使用して筋膜リリースを行うものであってもよい。
【００１６】
この筋膜リリース用治具１は、図１に示すように、基台部１０と、皮膚接触部２０とで構成される。
【００１７】
前記基台部１０は、筋膜リリース用治具１の骨格を構成するものである。また本実施形態においては、筋膜リリース用治具１を手２で握るための把持部を構成するものである。本実施形態においては、略円柱状の樹脂部材で基台部１０を形成してある。より具体的には、図１、図３に示すように、円柱状部材の外周面の一部を長手方向に削ることで、平坦面１１と湾曲面１２とを備える略円柱状部材で基台部１０を形成してある。
また本実施形態においては、基台部１０の素材としてウレタンを用いてある。勿論、基台部１０を形成する素材はウレタンに限るものではなく、適宜変更可能である。但し、好適には軽量性と、適度な伸縮性とを兼ね備えたウレタンなどの樹脂素材を用いる構成とすることが望ましい。
また本実施形態においては、図１、図３に示すように、湾曲面１２の所定領域（平坦面１１と対向する領域）の表面に、接着材３０を介して、シート状部材（薄板状部材）で構成される皮膚接触部２０を湾曲面１２に沿って着脱自在に貼り付けてある。なお接着材３０としては、皮膚接触部２０を基台部１０の表面に着脱自在に貼り付けることができるものであれば、如何なるものを用いてもよい。本実施形態においては、接着材３０として、両面テープを用いる構成としてある。
【００１８】
なお、基台部１０の形状、大きさは本実施形態のものに限るものではなく、適宜変更可能である。例えば筋膜リリース用治具１を手２で把持して利用する場合においては、好適には、基台部１０の大きさは、筋膜リリース用治具１の移動方向と平行な方向における長さ（以下、長手方向における長さとする。）が１５ｃｍ程度〜２０ｃｍ程度、筋膜リリース用治具１の移動方向と直交する方向における長さ（以下、短手方向における長さとする。）が５ｃｍ程度〜７ｃｍ程度とすることが望ましい。長手方向の長さが２０ｃｍ程度を超えると、手２で把持して移動させ難くなるからであり、１５ｃｍ程度未満であると、手２で把持するには小さすぎて、手２でこねるような動作が生じ易くなり、皮膚３に皮膚接触部２０を十分に接触させ難くなるからである。また短手方向の長さが７ｃｍ程度を超えると、手２で把持し難くなるからであり、５ｃｍ程度未満であると、手２で把持するには小さすぎて、手２でこねるような動作が生じ易くなり、皮膚３に皮膚接触部２０を十分に接触させ難くなるからである。
更に好適には、基台部１０の短手方向における長さと、長手方向における長さとの長さの比率が１対２である構成とすることが望ましい。このような構成とすることで、手２で把持して移動させ易く、また手２でこねるような動作が生じることを防止でき、皮膚３に皮膚接触部２０を十分に接触させることができるからである。
【００１９】
前記皮膚接触部２０は、基台部１０の表面の所定領域に設けられて、皮膚３との直接的又は間接的な接触部を形成するものである。具体的には、筋膜リリースを可能とするための刺激を皮膚３に与えるためのものである。
本実施形態においては、平面視において外形が矩形状のシート状部材で皮膚接触部２０を形成してある。またウレタンで形成されたシート状部材を用いる構成としてある。更に皮膚接触部２０を形成するウレタンの硬度を、基台部１０を形成するウレタンの硬度よりも高くする構成としてある。
勿論、皮膚接触部２０を形成する素材は本実施形態のものに限るものではなく、適宜変更可能である。但し、好適には軽量性と、適度な伸縮性とを兼ね備えたウレタンなどの樹脂素材で形成されたシート状部材を用いる構成とすることが望ましい。
本実施形態においては、図１〜図３に示すように、接着材３０を介して、皮膚接触部２０を基台部１０の表面の所定領域に着脱自在に貼り付けることで、基台部１０の表面の所定領域に皮膚接触部２０を設けてある。
【００２０】
また皮膚接触部２０の外形も本実施形態のものに限るものではなく、適宜変更可能である。例えば皮膚接触部２０の長手方向の先端側端部が、筋膜リリース用治具１の移動方向の前方側へ突出した山型形状とする構成としてもよい。このような構成とすることで、筋膜リリースを行いたい身体の部位が、例えば指の付け根付近や鎖骨付近のように、平坦な部位ではない場合でも、その部位に皮膚接触部２０を十分に接触させ易くすることができ、筋膜リリースを一段と効果的に行うことができる。
【００２１】
また本実施形態においては、図１〜図４に示すように、皮膚接触部２０の表面（皮膚３との接触面）に、複数の凹部２２と複数の凸部２３とを筋膜リリース用治具１の移動方向（本実施形態においては筋膜リリース用治具１の長手方向）に交互に配置してなる凹凸列２１を設ける構成としてある。この凹凸列２１は、使用時において、皮膚３と直接的又は間接的に接触して皮膚３を一方向に移動させて、筋膜や筋肉に刺激を与えるための部材となるものである。
また凹凸列２１を、筋膜リリース用治具１の移動方向に対して交差する方向（本実施形態においては筋膜リリース用治具１の短手方向）に複数列（本実施形態においては４列）並列配置させてある。
更に隣接する凹凸列２１の間に、筋膜リリース用治具１の移動方向に伸びる直線状で、且つ平面視において細長い矩形状の溝部２４を設けてある。
【００２２】
本実施形態においては、凹凸列２１の構成として、複数の凹部２２と複数の凸部２３との何れにおいても、筋膜リリース用治具１の移動方向に対して交差する方向に配置される傾斜面を備える構成としてある。
具体的には、図３（ｂ）に示すように、凹部２２を、筋膜リリース用治具１の移動方向に対向配置される前方側傾斜面２２ａと後方側傾斜面２２ｂとの一対の傾斜面で構成してある。また一対の傾斜面２２ａ、２２ｂを、筋膜リリース用治具１の移動方向に対して直交する方向に配置してある。更に図１〜図４に示すように、前方側傾斜面２２ａと後方側傾斜面２２ｂとを、筋膜リリース用治具１の内方に向かって窪んだ一対の湾曲面とすると共に、一対の湾曲面の曲率半径を同じ曲率半径とする構成としてある。
また図３（ｂ）に示すように、凸部２３を、前方側傾斜面２３ａと、後方側傾斜面２３ｂと、前方側傾斜面２３ａと後方側傾斜面２３ｂとの間に配置される頂上面２３ｃとで構成してある。また本実施形態においては図３（ａ）に示すように、頂上面２３ｃを筋膜リリース用治具１の外方に向けて凸状に湾曲した湾曲面で構成してある。
なお、前記前方側傾斜面２３ａは、凹部２２を構成する後方側傾斜面２２ｂを兼ねており、前記後方側傾斜面２３ｂは、凹部２２を構成する前方側傾斜面２２ａを兼ねている。
【００２３】
本実施形態においては、皮膚接触部２０を形成する全ての凹部２２の形状、大きさを同じ形状、大きさとする構成としてある。また皮膚接触部２０を形成する全ての凸部２３の形状、大きさを同じ形状、大きさとする構成としてある。更に隣接する凹凸列２１において、全ての凹部２２、全ての凸部２３の配列も同じ配列としてある。勿論、このような構成に限るものではなく、皮膚接触部２０を形成する複数の凹部２２、複数の凸部２３の形状、大きさがそれぞれ異なる構成としてもよいし、複数のグループ毎（例えば配置される領域毎など）で異なるような構成としてもよい。また隣接する凹凸列２１において、凹部２２、凸部２３の配列を異なる配列としてもよい。
【００２４】
このような構成からなる皮膚接触部２０は、例えば射出成形型を用いたり、ウレタンで形成されるシート状部材に切削加工を施したりすることで形成することができる。
【００２５】
なお、凹凸列２１を形成する凹部２２、凸部２３の数や、並列配置される複数の凹凸列２１の数は本実施形態のものに限るものでなく、適宜変更可能である。但し、好適には、使用状態において、皮膚３に凹凸列２１が偶数列接触するような構成とすることが望ましい。本実施形態においては、詳しくは図示していないが、使用状態において、皮膚３に凹凸列２１が２列接触するような構成としてある。
【００２６】
次に、このような構成からなる筋膜リリース用治具１の使用方法を説明する。なお、本発明の筋膜リリース用治具１は、筋膜リリース用治具１を皮膚３に直接的に接触させて使用する場合と、間接的に接触させて使用する場合とで、使用方法は同じで同様の作用効果をもたらすものである。従って以下においては、説明の便宜上、筋膜リリース用治具１を皮膚３に直接的に接触させて使用する場合についての説明のみを行うものとする。
【００２７】
図１（ｂ）を参照して、施術者（図示しない）が手２で筋膜リリース用治具１を把持し、被施術者の筋膜リリースを行いたい皮膚３の部分に皮膚接触部２０を接触させる。
そして皮膚３に接触させた状態において、皮膚３に対して適度な圧（皮膚内部に向かう方向への圧）を加えながら、皮膚３上の一方向（図１（ｂ）の白抜き矢印で示す方向）に筋膜リリース用治具１を移動させる。この際、皮膚３に対する加圧力によって、複数の凹凸列２１のうち、皮膚３と当接する凹凸列２１の数を適宜変更することができる。なお、本実施形態においては、加圧力を加えずに筋膜リリース用治具１を皮膚３に接触させた状態でも二つの凹凸列２１が皮膚３と当接する構成としてある。
なお、筋膜の委縮程度、癒着程度により、上記の動作を１乃至複数回行う。
【００２８】
上記動作により、図４（ｂ）に簡略化して示すように、凹部２２においては、後方側傾斜面２２ｂが皮膚３に引っ掛かる状態を生み出すことができる。また凸部２３においては、前方側傾斜面２３ａが皮膚３に引っ掛かる状態を生み出すことができる。よって複数の凹部２２と複数の凸部２３とで、しっかりと皮膚３をとらえて刺激を与えることができる。このように、本発明における筋膜リリース用治具１は、皮膚３に接触させた状態において、皮膚３の内部に向かう方向に圧をかけると共に、皮膚３の一方向に向けて移動させることにより、凹部２２の後方側傾斜面２２ｂと、凸部２３の前方側傾斜面２３ａとが皮膚３に引っ掛かるような状態を生み出せ、これによって皮膚及び皮膚下の筋肉、筋膜を圧迫、伸張、振動させることができるという構成とその使用方法に、従来技術にはない顕著な特徴を備えるものである。
より具体的には、図１（ｂ）に示すように、癒着部分Ｙのように、癒着状態にあった筋肉Ｋ１の筋膜（図示しない）と筋肉Ｋ２の筋膜（図示しない）や、筋肉Ｋ１、筋肉Ｋ２などを圧迫、伸張、振動させることができる。これにより、循環不良状態にあった血液、間質液、リンパ液といった体液を良好な循環状態に戻すことができる。よって、筋肉Ｋ１、筋肉Ｋ２を正常な位置に戻すことができ、筋膜の癒着を解消させることができる。
以上のような動作によって、筋膜リリース用治具１を用いて施術者が被施術者に対して効果的に筋膜リリースの施術を行うことができる。
【００２９】
このような構成からなる筋膜リリース用治具１は、以下の効果を奏する。
【００３０】
皮膚接触部２０の構成として、表面に複数の凹部２２と複数の凸部２３とを筋膜リリース用治具１の移動方向に交互に配置してなる凹凸列２１を備えると共に、凹凸列２１を筋膜リリース用治具１の移動方向に対して交差する方向に複数列並列（４列）配置させてあり、且つ隣接する凹凸列２１の間に筋膜リリース用治具１の移動方向に伸びる溝部２４を設けてある構成とすることで、皮膚接触部２０に備える複数の凹部２２と複数の凸部２３とを、それぞれ個別の領域に区分けすることができる。よって複数の凹部２２と複数の凸部２３を備える皮膚接触部２０の表面積を効果的に広げることができると共に、複数の凹部２２と複数の凸部２３を個別に皮膚３に直接的に接触させることができる。従って皮膚３との接触箇所を複数箇所とすることができると共に、皮膚３に対する摩擦抵抗を向上させることができる。よって筋膜に対して種々の刺激を与えることができ、筋膜リリースを効率的に行うことができる。
これにより血液、間質液、リンパ液といった体液の循環不良が解消されることで、内部環境が改善され、酸素をはじめとする栄養素が細胞へ届き易くなる。その結果、老廃物や疲労物質が身体の特定部分に残らない状態を生み出すことができ、身体の特定部分に生じる疼痛等の痛みを改善、解消することができる。また血液、間質液、リンパ液といった体液の循環不良が解消されることで、関節の可動域を効果的に広げることができる。更に内部環境が改善されることで、疲労の早期回復、免疫力の向上、けがの予防を実現することができる。また、むくみやだるさを軽減、解消することができる。
【００３１】
また皮膚接触部２０をウレタンからなるシート状部材で形成すると共に、接着材３０を介して、皮膚接触部２０を基台部１０の表面の所定領域に着脱自在に取り付けてある構成とすることで、基台部１０の全面（全周）に皮膚接触部２０を設ける必要がない。よって製造効率が良く、省コスト化が可能な筋膜リリース用治具とすることができる。また基台部１０をしっかりと把持することが可能な筋膜リリース用治具とすることができる。更に皮膚接触部のみの交換が可能な筋膜リリース用治具とすることができる。よって凹部や凸部の形状、数などが異なる複数種類の皮膚接触部を準備すれば、筋膜リリースを行う部位や筋膜リリースの被施術者の好みなどに合わせて、皮膚接触部を適宜交換して使用することができる。従って、利便性が良く、個々人にあった筋膜リリースを容易且つ効果的に行うことが可能な筋膜リリース用治具とすることができる。
【００３２】
また皮膚３に直接的に接触させた状態で一方向に向けて移動させるだけで施術を行うことができるので、誰でも容易に使用できると共に、再現性のある筋膜リリース用治具１とすることができる。よって整骨院などで患者様に使用する場合などにおいては、確実に治療効果の出せる施術者を短期間で育成することができる。
また皮膚３に直接的に接触させるだけでなく、着衣時などにおいて間接的に接触させた状態でも使用できる構成とすることで、施術者と被施術者との性別が異なる場合でも施術し易い治具とすることができる。よって施術者と被施術者の双方にとって、身体的、精神的苦痛や負担を軽減可能な筋膜リリース用治具とすることができる。加えて、夫婦間、親子間、運動選手間、運動選手と指導者間で使用する場合などでは、良好なコミュニケーションを取る機会を創出することができ、コミュニケーション不足の解消にも寄与できる筋膜リリース用治具とすることができる。
【００３３】
更に被施術者とは別人である施術者が筋膜リリース用治具を使用して施術を行う場合には、被施術者が自ら筋膜リリース用治具を使用する場合に比べて、よりリラックスした状態で筋膜リリースを行うことができる。具体的には、主動筋、拮抗筋、協力筋に余分な緊張が加わらず、弛緩した状態で筋膜リリースを行うことができる。従って一段と効果的に筋膜リリースを行うことができる。
【００３４】
また施術者が皮膚３に対する皮膚接触部２０の接触圧を加減するだけで、複数の凹凸列２１のうち、皮膚３と接触する凹凸列２１の数を容易に加減することができる。よって皮膚と筋膜間、筋膜と筋肉間、筋肉内部など、異なる部位に対しての施術を効果的に行うことができる。
更に皮膚３に直接的又は間接的に接触させた状態で一方向に向けて移動させるだけであるため、短時間での施術が可能となり、短時間で血液などの循環の改善や痛みの軽減、可動域の改善を体感することができる。よって術前術後の自覚的及び他覚的所見の判断が容易な筋膜リリース用治具とすることができる。
【００３５】
また筋膜リリースを行うことができるだけでなく、筋膜の癒着の程度を検査したい場合においては、皮膚３に直接的又は間接的に接触させた状態で一方向に向けて移動させるだけで、筋膜の動きを察知でき、筋膜の癒着の程度を検査するための検査用治具としても利用することができる。従って、一台の筋膜リリース用治具１を、筋膜リリースを行うための筋膜リリース用治具として、或いは筋膜の癒着の程度を検査するための検査用治具として、その時々の用途に合わせて使い分けて使用することができる。従って筋膜リリース用治具１を多機能な治具とすることができる。
【００３６】
また凹部２２及び凸部２３の構成として、何れも筋膜リリース用治具１の移動方向に対して交差する方向に配置される傾斜面を備える構成とすることで、使用状態において、凹部２２と凸部２３とが皮膚３に引っ掛かる状態を生み出すことができる。よって、複数の凹部２２と複数の凸部２３とでしっかりと皮膚３をとらえて刺激を与えることができ、これによって一段と効果的に筋膜リリースを行うことができる筋膜リリース用治具１とすることができる。
【００３７】
また凹部２２の前方側傾斜面２２ａと後方側傾斜面２２ｂとを、筋膜リリース用治具１の内方に向かって窪んだ一対の湾曲面とする構成とすることで、凹部２２に埃やゴミが溜まった場合でも取り除き易く、掃除し易い筋膜リリース用治具１とすることできる。よってメンテナンス容易な治具とすることができる。
【００３８】
また隣接する凹凸列２１において、凹部２２の形状、大きさ、凸部２３の形状、大きさ、凹部２２と凸部２３の配列を全て同じである構成とすることで、複数の凹部２２と複数の凸部２３による皮膚３に対する負荷を均一な負荷とすることができる。よって一段と効果的に筋膜、筋肉に刺激を与えることができ、これによって一段と効果的に筋膜リリースを行うことができる。
【００３９】
また隣接する凹凸列２１の間に、筋膜リリース用治具１の移動方向（筋膜リリース用治具１の長手方向）に伸びる直線状で、且つ平面視において細長い矩形状の溝部２４を設ける構成とすることで、溝部２４を筋膜リリース用治具１の移動方向を指し示す支持線として利用することができる。よって視覚で直観的に移動方向を理解できる筋膜リリース用治具１とすることができる。従って誰でも一段と容易に使用できると共に、一段と再現性のある筋膜リリース用治具１とすることができる。
【００４０】
次に図５〜図８を参照して、本発明の第１の実施形態に係る筋膜リリース用治具１の変形例１〜変形例７を説明する。なお、変形例１〜変形例７において、既述した本発明の実施形態に係る筋膜リリース用治具１と同一部材、同一機能を果たすものには、同一番号、同一符号を付し、以下詳細な説明は省略するものとする。
【００４１】
まず図５、図６を参照して、本発明の第１の実施形態に係る筋膜リリース用治具１の変形例１〜変形例４を説明する。
本変形例１〜変形例４は、既述した本発明の第１の実施形態に係る筋膜リリース用治具１に対して、凸部２３の構成を変形させたものである。
【００４２】
具体的には、図５、図６に一部を示すように、本変形例１〜変形例４においては、複数の凸部２３の各表面に、凹状溝を設ける構成としてある。また凹状溝の構成として、筋膜リリース用治具１の移動方向とは反対側に向けて凸状に湾曲した湾曲溝部を備える構成としてある。
【００４３】
より具体的には、図５（ａ）、（ｂ）を参照して、本発明の第１の実施形態に係る筋膜リリース用治具１の変形例１においては、凹状溝として、筋膜リリース用治具１の移動方向（図５（ａ）において白抜き矢印で示す。）とは反対方向に向けて凸状に湾曲した湾曲溝部２５ａを有する半球形状の凹状溝２５を設ける構成としてある。
また図５（ｃ）、図５（ｄ）を参照して、本発明の第１の実施形態に係る筋膜リリース用治具１の変形例２においては、凹状溝として、筋膜リリース用治具１の移動方向（図５（ｃ）において白抜き矢印で示す。）とは反対方向に向けて凸状に湾曲した湾曲溝部２６ａを有する弓型形状の凹状溝２６を設ける構成としてある。
【００４４】
また図６（ａ）、（ｂ）を参照して、本発明の第１の実施形態に係る筋膜リリース用治具１の変形例３においては、凹状溝として、筋膜リリース用治具１の移動方向（図６（ａ）において白抜き矢印で示す。）とは反対方向に向けて凸状に湾曲した湾曲溝部２７ａを有する渦巻き形状の凹状溝２７を設ける構成としてある。
また図６（ｃ）を参照して、本発明の第１の実施形態に係る筋膜リリース用治具１の変形例４においては、凹状溝として、四列ある凹凸列のうち、隣接する二列の各凸部２３には、半球形状の凹状溝２５を設け、他の隣接する二列の各凸部２３には、弓型形状の凹状溝２６を設けてある。つまり、複数の凹凸列２１で凹状溝の形状を異なる形状としてある。
【００４５】
なお、図５（ｂ）、図５（ｄ）、図６（ｂ）の各図は、筋膜リリース用治具１の短手方向における垂直断面図における、一つの凸部２３を拡大して示す図である。
また、このような半球形状の凹状溝２５、弓型形状の凹状溝２６、渦巻き形状の凹状溝２７は、例えば射出成形型を用いたり、ウレタンで形成されるシート状部材に切削加工を施したりすることで形成することができる。
【００４６】
このように、複数の凸部２３の各表面に、凹状溝を設けることで、皮膚接触部２０の表面積を一段と効果的に広げることができる。また、凹状溝の構成として、筋膜リリース用治具１の移動方向とは反対方向に向けて凸状に湾曲した湾曲溝部を備える構成とすることから、使用状態において、凹部２２に加えて、凸部２３の凹状溝においても皮膚に引っ掛かる状態を生み出すことができる。よって、複数の凹部２２と複数の凸部２３とでしっかりと皮膚をとらえて刺激を与えることができ、これによって一段と効果的に筋膜リリースを行うことができる。
【００４７】
更に凹状溝を半球形状の凹状溝２５や弓型形状の凹状溝２６とすれば、凹状溝の形成を容易なものとすることができ、製造効率の向上と省コスト化とを実現できる。
また凹状溝を渦巻き形状の凹状溝２７とすれば、図６（ａ）に示すように、湾曲溝部を複数設けることが可能となる。よって凸部２３の凹状溝２７においても皮膚３に引っ掛かる状態を一段と生み出すことができる。
【００４８】
次に図７を参照して、本発明の第１の実施形態に係る筋膜リリース用治具１の変形例５を説明する。
本変形例５に係る筋膜リリース用治具１は、既述した本発明の第１の実施形態に係る筋膜リリース用治具１に対して、基台部１０の構成を変形させたものである。
具体的には、基台部１０の皮膚接触部２０を設けてある面の裏側の面に、筋膜リリース用治具１の移動方向（筋膜リリース用治具１の長手方向）に伸びる切り欠き１３を設ける構成としてある。
本変形例５においては、図７（ａ）に示すように、切り欠き１３として、基台部１０の外側から中心に向かって幅狭となる、側面視において略二等辺三角形状の切り欠き１３を設ける構成としてある。また切り欠き１３の内面を、一対の湾曲面で形成してある。加えて、頂部Ｃも湾曲面で形成してある。
なお、切り欠き１３は、例えば基台部１０を切削することで形成することができる。
【００４９】
このような構成とすることで、図７（ｂ）に示すように、基台部１０を手で強く握ることで、基台部１０を内側に向けて収縮させることができる。これに伴い、複数の凹部２２と複数の凸部２３の形状や配置位置を変形させることできる。よって基台部１０を手で強く握る状態と、強く握らず手を添えているだけの状態とで、皮膚３に対して異なる刺激を与えることができる。
具体的には、基台部１０を手で強く握ることにより、図７（ｂ）の白抜き矢印で示すように、皮膚接触部２０の短手方向端部に、皮膚接触部２０の外側下方に向かう引っ張り力を負荷することができる。これにより、図７（ａ）に示す基台部１０を手で強く握る前の隣接する凹凸列２１の凸部２３の湾曲面の溝部２４付近の接線が交差することで形成される角度Ｄ１を、図７（ｂ）に示す基台部１０を手で強く握った後の隣接する凹凸列２１の凸部２３の湾曲面の溝部２４付近の接線が交差することで形成される角度Ｄ２に広げることができる。これにより、凹凸列２１を構成する複数の凹部２２と複数の凸部２３の形状や配置位置を変形させることができ、皮膚３に対して異なる刺激を与えることができる。よって簡易な構成で一段と効果的に筋膜リリースを行うことができる筋膜リリース用治具１とすることができる。
また切り欠き１３の内面と、頂部Ｃを湾曲面で形成することで、図７（ａ）に破線で示すように、切り欠き１３を矩形状とすることで、その頂部Ｃに角部Ｅが生じる場合に比べて、基台部１０を手で強く握った際に頂部Ｃに応力が集中することを効果的に防止することができる。よって応力が集中することに伴って頂部Ｃに破断が生じることを防止することができる。従って切り欠き部１３に破断が生じ難く、耐久性の良好な筋膜リリース用治具１とすることができる。
【００５０】
次に図８（ａ）を参照して、本発明の第１の実施形態に係る筋膜リリース用治具１の変形例６を説明する。
本変形例６に係る筋膜リリース用治具１は、既述した本発明の第１の実施形態に係る筋膜リリース用治具１に対して、凹部２２の形状を変形させたものである。
具体的には、凹部２２の前方側傾斜面２２ａ（凸部２３の後方側傾斜面２３ｂ）と凹部２２の後方側傾斜面２２ｂ（凸部２３の前方側傾斜面２３ａ）とを、筋膜リリース用治具１の内方に向かって窪んだ一対の湾曲面とはせず、平坦な一対の傾斜面とする構成としたものである。
また一対の傾斜面である前方側傾斜面２２ａ（後方側傾斜面２３ｂ）と後方側傾斜面２２ｂ（前方側傾斜面２３ａ）の頂上面２３ｃに対する傾斜角度を同じ角度とする構成としてある。
このような構成とすることで、凹部２２及び凸部２３を一段と容易に形成することができ、製造効率の良い筋膜リリース用治具１とすることができる。
【００５１】
次に図８（ｂ）、図８（ｃ）を参照して、本発明の第１の実施形態に係る筋膜リリース用治具１の変形例７を説明する。
本変形例７に係る筋膜リリース用治具１は、既述した本発明の第１の実施形態に係る筋膜リリース用治具１に対して、凹部２２の形状を変形させたものである。
具体的には図８（ｂ）を参照して、凹部２２の前方側傾斜面２２ａ（凸部２３の後方側傾斜面２３ｂ）と凹部２２の後方側傾斜面２２ｂ（凸部２３の前方側傾斜面２３ａ）とを、筋膜リリース用治具１の内方に向かって窪んだ一対の湾曲面とはせず、平坦な一対の傾斜面とする構成としたものである。
また一対の傾斜面のうち、筋膜リリース用治具１の移動方向の後方側に配置される後方側傾斜面２２ｂ（前方側傾斜面２３ａ）の傾斜角度を、筋膜リリース用治具１の移動方向の接線（図８（ｂ）に二点鎖線で示す。）に対して９０度とする構成としてある。
【００５２】
このような構成とすることで、図８（ｃ）に示すような使用状態において、凹部２２の皮膚３に対する摩擦抵抗を一段と向上させることができる。よって凹部２２が皮膚３に引っ掛かる状態を一段と効果的に生み出すことができ、一段と効果的に筋膜リリースを行うことができる筋膜リリース用治具１とすることができる。
【００５３】
なお、図８のように前方側傾斜面２２ａ（後方側傾斜面２３ｂ）と後方側傾斜面２２ｂ（前方側傾斜面２３ａ）とを、平坦な一対の傾斜面とする場合においては、好適には、図８（ａ）において破線で囲む頂部Ｔ１のように鋭角で形成される頂部や、図８（ｂ）において破線で囲む頂部Ｔ２のように鈍角で形成する頂部ではなく、図８（ｄ）において破線で囲む頂部Ｔ３や図８（ｅ）において破線で囲む頂部Ｔ４のように、湾曲面で形成される頂部とすることが望ましい。このような構成とすることで、凹部２２に埃やゴミが溜まった場合でも取り除き易く、掃除し易い筋膜リリース用治具１とすることできる。よってメンテナンス容易な治具とすることができる。
【００５４】
なお、既述した本発明の第１の実施形態においては、溝部２４の構成として、隣接する凹凸列２１の間に、筋膜リリース用治具１の移動方向に伸びる直線状で、且つ平面視において細長い矩形状の溝部２４とする構成としたが、溝部の構成は必ずしもこのような構成に限るものではなく、適宜変更可能である。例えば筋膜リリース用治具１の移動方向に伸びる波形の溝部とする構成としてもよい。
【００５５】
また凸部２３の構成として、凸部２３の形状を、手の指の腹の形状とするような構成としてもよい。より具体的には、凸部２３の形状を、手の指の腹の形状とすると共に、指先側を筋膜リリース用治具１の移動方向の前方側に配置する構成としてもよい。このような構成とすることで、使用状態において、人の手で施術されている状態に近づけることができる。よって、使用状態において、被施術者を一段とリラックスさせることができ、一段と効果的に筋膜リリースを行うことができる。
【００５６】
また本実施形態においては、基台部１０に接着材３０を介して皮膚接触部２０を着脱自在に貼り付ける構成としたが、基台部１０に皮膚接触部２０を着脱自在に取り付ける構成はこのような構成に限るものではない。例えば基台部１０と皮膚接触部２０とを嵌合させることで、基台部１０に皮膚接触部２０を着脱自在に取り付けるような構成としてもよい。このような構成とすることで、一段と容易に基台部１０に皮膚接触部２０を着脱自在に取り付けることができる。
【００５７】
また本発明の第１の実施形態においては、筋膜リリース用治具１を手２で把持できる大きさ、形状で構成し、手２で把持して使用する構成としたが、筋膜リリース用治具の構成は必ずしもこのような構成に限るものではない。例えば図９（ａ）、図９（ｂ）に示す本発明の第２の実施形態に係る筋膜リリース用治具４のように、いわゆる指サックのように、１本の指を差し込むことで、指に装着して使用可能な筋膜リリース用治具４とする構成としてもよい。この場合、図９（ａ）に示すように、基台部１０には、指を差し込むことができる大きさ、形状の孔１４を設けることが必要である。また指を差し込んだ際に、手の平側に皮膚接触部２０が配置されるように指を差し込むことが望ましい。
なお、筋膜リリース用治具を指に装着して使用可能とする構成は、既述した構成に限るものではない。例えば図９（ｃ）に示すように、基台部１０を、半円形状の弓型に構成し、基台部１０に指を嵌め込むことで、指に装着可能な筋膜リリース用治具５とするような構成としてもよい。この場合においても、指を嵌め込んだ際に、手の平側に皮膚接触部２０が配置されるように指を嵌め込むことが望ましい。また基台部１０の素材として、基台部１０に指を嵌め込んだ際に、容易に指にフィットするような弾性を備えた樹脂素材を用いる構成とすることが望ましい。このような構成とすることで、指への装着の手間を一段と省くことができ、利便性の高い筋膜リリース用治具５とすることができる。
なお、図９において、既述した本発明の第１の実施形態に係る筋膜リリース用治具１と同一部材、同一機能を果たすものには、同一番号、同一符号を付すものとする。
【００５８】
また図９においては、１本の指を差し込んで使用する筋膜リリース用治具４とする構成としたが、必ずしもこのような構成に限るものではなく、複数本の指を一体的に差し込んで使用する筋膜リリース用治具としてもよい。この場合、指を差し込む孔の構成としては、複数本の指を個別に差し込むような孔と、複数本の指を一体的に差し込むような孔との何れの構成であってもよい。更に孔１４の長さの構成も、基台部１０を貫通するような長さの孔と、基台部１０の途中位置までの長さの孔との何れの構成であってもよい。
このように、指に装着して使用できるような構成とすることで、持ち運びが極めて容易で、狭小なスペースでも筋膜リリースを行うことができ、また、身体の様々な部位に対して筋膜リリースを行うことが可能な筋膜リリース用治具４とすることができる。
【産業上の利用可能性】
【００５９】
本発明によれば、皮膚に対して種々の刺激を与えることができることで、筋膜リリースを効果的に行うことができることから、筋膜リリース用治具の分野における産業上の利用性が高い。
【符号の説明】
【００６０】
１            筋膜リリース用治具
２            手
３            皮膚
４            筋膜リリース用治具
５            筋膜リリース用治具
１０          基台部
１１          平坦面
１２          湾曲面
１３          切り欠き
１４          孔
２０          皮膚接触部
２１          凹凸列
２２          凹部
２２ａ        前方側傾斜面
２２ｂ        後方側傾斜面
２３          凸部
２３ａ        前方側傾斜面
２３ｂ        後方側傾斜面
２３ｃ        頂上面
２４          溝部
２５          凹状溝
２５ａ        湾曲溝部
２６          凹状溝
２６ａ        湾曲溝部
２７          凹状溝
２７ａ        湾曲溝部
３０          接着材
Ｃ            頂部
Ｄ１          角度
Ｄ２          角度
Ｅ            角部
Ｋ１          筋肉
Ｋ２          筋肉
Ｔ１          頂部
Ｔ２          頂部
Ｔ３          頂部
Ｔ４          頂部
Ｙ            癒着部分
【図１】
2020092808.tif 000003
【図２】
2020092808.tif 000004
【図３】
2020092808.tif 000005
【図４】
2020092808.tif 000006
【図５】
2020092808.tif 000007
【図６】
2020092808.tif 000008
【図７】
2020092808.tif 000009
【図８】
2020092808.tif 000010
【図９】
2020092808.tif 000011